(57)【要約】 【課題】  面状部材の損傷を防止する。【解決手段】  液晶パネル１１は、バックライト装置１２を構成するフレーム１４により受けられた状態で、その表側から取り付けられる枠状のベゼル１３により挟まれた状態で保持される。液晶パネル１１を構成する表側の偏光板２５は、本体部３３と、本体部３３の表面を覆う保護フィルム３５とを備える。保護フィルム３５のうち、本体部３３における表示領域３３ａを覆う表示領域保護部３５ａと、本体部３３におけるベゼル当接領域３３ｂを覆うベゼル当接領域保護部３５ｂとの境界位置には、分離可能部３７が設けられている。ベゼル１３とフレーム１４との間で偏光板２５を挟み付ける段階では、表示領域３３ａが表示領域保護部３５ａにより覆われるのに対し、ベゼル当接領域保護部３５ｂが剥離されてベゼル当接領域３３ｂの表面が露出している。【選択図】  図４
2006317865.tif 000002
【特許請求の範囲】
【請求項１】
透光性を有するとともに表面に保護層が剥離可能な状態で貼り付けられる面状部材と、この面状部材を受ける受け部材と、この受け部材との間で前記面状部材を挟んだ状態で保持するとともに前記面状部材における表示領域を取り囲む略枠状をなす保持部材とを備えた表示装置の製造方法であって、
前記保持部材と前記受け部材との間に前記面状部材を挟み付ける段階では、前記面状部材のうち少なくとも前記表示領域については保護層により表面が覆われるのに対し、少なくとも前記保持部材が宛われる保持部材当接領域については表面が露出するようにしたことを特徴とする表示装置の製造方法。
【請求項２】
前記受け部材に前記面状部材を載せる段階までは、前記保護層により前記面状部材の表面のほぼ全域が覆われ、この保護層が少なくとも前記表示領域を覆う表示領域保護部と、少なくとも前記保持部材当接領域を覆う保持部材当接領域保護部とを有しており、
前記受け部材に前記面状部材を載せてから前記保持部材を取り付けるまでの間に、前記保護層のうち前記保持部材当接領域保護部のみを先に剥離するようにしたことを特徴とする請求項１記載の表示装置の製造方法。
【請求項３】
前記保護層は、少なくとも前記表示領域を覆う表示領域保護部と、少なくとも前記保持部材当接領域を覆う保持部材当接領域保護部とを有するとともに、これら前記表示領域保護部と前記保持部材当接領域保護部とを独立して分離可能とする分離可能部を有し、
前記受け部材に前記面状部材を載せてから前記保持部材を取り付けるまでの間に、前記保護層のうち前記保持部材当接領域保護部のみを先に剥離するようにしたことを特徴とする請求項１または請求項２記載の表示装置の製造方法。
【請求項４】
前記分離可能部を無端状に形成したことを特徴とする請求項３記載の表示装置の製造方法。
【請求項５】
前記保護層は、前記面状部材のうち前記保持部材当接領域よりも内側に配されるとともに、少なくとも前記表示領域を覆う第１保護層と、この第１保護層、及び前記面状部材のうち前記保持部材当接領域を覆う第２保護層とを積層した構成とされ、
前記受け部材に前記面状部材を載せてから前記保持部材を取り付けるまでの間に、先に前記第２保護層のみを剥離し、その後前記保持部材を取り付ける作業を行ってから、前記第１保護層を剥離するようにしたことを特徴とする請求項１または請求項２記載の表示装置の製造方法。
【請求項６】
前記保護層は、前記面状部材のうち少なくとも前記表示領域を覆う形態とされ、前記保持部材当接領域については露出させるようにしたことを特徴とする請求項１記載の表示装置の製造方法。
【請求項７】
受け部材と表示領域を取り囲む略枠状をなす保持部材との間に挟まれた状態で保持されることで、表示装置を構成する面状部材であって、透光性を有するとともに表面に保護層が剥離可能な状態で貼り付けられた構成とされており、
前記保護層には、前記面状部材のうち少なくとも前記表示領域を覆う表示領域保護部と、少なくとも前記保持部材が宛われる保持部材当接領域を覆う保持部材当接領域保護部とを独立して分離可能とする分離可能部が設けられていることを特徴とする面状部材。
【請求項８】
前記分離可能部が無端状に形成されていることを特徴とする請求項７記載の面状部材。
【請求項９】
受け部材と表示領域を取り囲む略枠状をなす保持部材との間に挟まれた状態で保持されることで、表示装置を構成する面状部材であって、透光性を有するとともに表面に保護層が剥離可能な状態で貼り付けられた構成とされており、
前記保護層は、前記保持部材が宛われる保持部材当接領域よりも内側に配されるとともに、少なくとも前記表示領域を覆う第１保護層と、この第１保護層、及び前記保持部材当接領域を覆う第２保護層とを積層した構成としたことを特徴とする面状部材。
【請求項１０】
受け部材と表示領域を取り囲む略枠状をなす保持部材との間に挟まれた状態で保持されることで、表示装置を構成する面状部材であって、透光性を有するとともに表面に保護層が剥離可能な状態で貼り付けられた構成とされており、
前記保護層は、前記保持部材が宛われる保持部材当接領域については露出させるものの、少なくとも前記表示領域を覆う形態とされていることを特徴とする面状部材。
【発明の詳細な説明】
【技術分野】
【０００１】
本発明は、表示装置の製造方法及び面状部材に関する。
【背景技術】
【０００２】
表示装置の一種である液晶表示装置は、大まかには液晶パネルの裏側に外部光源であるバックライト装置を組み付けた構成とされている。液晶パネルは、表側に配されるとともに表示領域を取り囲む枠状のベゼルと、裏側に配されるバックライト装置の一部である枠状のフレームとの間で挟まれた状態で保持される。この液晶パネルは、一対のガラス基板と、両ガラス基板間に充填される液晶と、両ガラス基板の外面にそれぞれ貼り付けられる一対の偏光板とから構成されている。このうち偏光板には、表面を保護するための保護フィルムが剥離可能に貼り付けられている。
【０００３】
続いて、上記のような構造の液晶表示装置の製造方法について説明する。対向させた両ガラス基板間に液晶を充填するとともに両ガラス基板を張り合わせたら、その外面に偏光板を貼り付ける作業を行う。得られた液晶パネルのうち裏側の偏光板について保護フィルムを剥離したら、それをバックライト装置のフレーム上に載せる。その後、表側の偏光板の保護フィルムを剥離してから、液晶パネルの表側にベゼルを載せるとともにこのベゼルをビスによりフレームに対して固定する作業を行うようにしている。
【０００４】
なお上記したような液晶表示装置の一例として下記特許文献１に記載されたものが知られている。
【特許文献１】特開２００１−９１９４７公報
【発明の開示】
【発明が解決しようとする課題】
【０００５】
ところで、ベゼルをフレームに対して固定する際には、誤ってビスなどの部品を表側の偏光板上に落下させてしまう可能性がある。ところが、この段階では既に表側の偏光板は、保護フィルムが剥離されていて表面が全域露出した状態となっているため、落下したビスなどにより偏光板の表面に傷が付くことが懸念される。特に、液晶表示装置が大型のものほど使用するビスなどの部品数も増加し、また偏光板の表面積も増加するため、より偏光板に傷が付き易いという事情がある。
【０００６】
そうかといって、例えば表側の偏光板の保護フィルムを剥がすことなく、ベゼルを取り付ける作業を行うと、偏光板とベゼルとの間に保護フィルムの一部が挟み込まれてしまうため、保護フィルムを剥離することができなくなってしまう。
【０００７】
本発明は上記のような事情に基づいて完成されたものであって、面状部材の損傷を防止することを目的とする。
【課題を解決するための手段】
【０００８】
上記の目的を達成するための手段として、請求項１の発明に係る表示装置の製造方法は、透光性を有するとともに表面に保護層が剥離可能な状態で貼り付けられる面状部材と、この面状部材を受ける受け部材と、この受け部材との間で前記面状部材を挟んだ状態で保持するとともに前記面状部材における表示領域を取り囲む略枠状をなす保持部材とを備えた表示装置の製造方法であって、前記保持部材と前記受け部材との間に前記面状部材を挟み付ける段階では、前記面状部材のうち少なくとも前記表示領域については保護層により表面が覆われるのに対し、少なくとも前記保持部材が宛われる保持部材当接領域については表面が露出するようにしたところに特徴を有する。
【０００９】
請求項２の発明は、請求項１に記載のものにおいて、前記受け部材に前記面状部材を載せる段階までは、前記保護層により前記面状部材の表面のほぼ全域が覆われ、この保護層が少なくとも前記表示領域を覆う表示領域保護部と、少なくとも前記保持部材当接領域を覆う保持部材当接領域保護部とを有しており、前記受け部材に前記面状部材を載せてから前記保持部材を取り付けるまでの間に、前記保護層のうち前記保持部材当接領域保護部のみを先に剥離するようにしたところに特徴を有する。
【００１０】
請求項３の発明は、請求項１または請求項２に記載のものにおいて、前記保護層は、少なくとも前記表示領域を覆う表示領域保護部と、少なくとも前記保持部材当接領域を覆う保持部材当接領域保護部とを有するとともに、これら前記表示領域保護部と前記保持部材当接領域保護部とを独立して分離可能とする分離可能部を有し、前記受け部材に前記面状部材を載せてから前記保持部材を取り付けるまでの間に、前記保護層のうち前記保持部材当接領域保護部のみを先に剥離するようにしたところに特徴を有する。
【００１１】
請求項４の発明は、請求項３に記載のものにおいて、前記分離可能部を無端状に形成したところに特徴を有する。
【００１２】
請求項５の発明は、請求項１または請求項２に記載のものにおいて、前記保護層は、前記面状部材のうち前記保持部材当接領域よりも内側に配されるとともに、少なくとも前記表示領域を覆う第１保護層と、この第１保護層、及び前記面状部材のうち前記保持部材当接領域を覆う第２保護層とを積層した構成とされ、前記受け部材に前記面状部材を載せてから前記保持部材を取り付けるまでの間に、先に前記第２保護層のみを剥離し、その後前記保持部材を取り付ける作業を行ってから、前記第１保護層を剥離するようにしたところに特徴を有する。
【００１３】
請求項６の発明は、請求項１に記載のものにおいて、前記保護層は、前記面状部材のうち少なくとも前記表示領域を覆う形態とされ、前記保持部材当接領域については露出させるようにしたところに特徴を有する。
【００１４】
請求項７の発明に係る面状部材は、受け部材と表示領域を取り囲む略枠状をなす保持部材との間に挟まれた状態で保持されることで、表示装置を構成する面状部材であって、透光性を有するとともに表面に保護層が剥離可能な状態で貼り付けられた構成とされており、前記保護層には、前記面状部材のうち少なくとも前記表示領域を覆う表示領域保護部と、少なくとも前記保持部材が宛われる保持部材当接領域を覆う保持部材当接領域保護部とを独立して分離可能とする分離可能部が設けられている構成としたところに特徴を有する。
【００１５】
請求項８の発明は、請求項７に記載のものにおいて、前記分離可能部が無端状に形成されているところに特徴を有する。
【００１６】
請求項９の発明に係る面状部材は、受け部材と表示領域を取り囲む略枠状をなす保持部材との間に挟まれた状態で保持されることで、表示装置を構成する面状部材であって、透光性を有するとともに表面に保護層が剥離可能な状態で貼り付けられた構成とされており、前記保護層は、前記保持部材が宛われる保持部材当接領域よりも内側に配されるとともに、少なくとも前記表示領域を覆う第１保護層と、この第１保護層、及び前記保持部材当接領域を覆う第２保護層とを積層した構成としたところに特徴を有する。
【００１７】
請求項１０の発明に係る面状部材は、受け部材と表示領域を取り囲む略枠状をなす保持部材との間に挟まれた状態で保持されることで、表示装置を構成する面状部材であって、透光性を有するとともに表面に保護層が剥離可能な状態で貼り付けられた構成とされており、前記保護層は、前記保持部材が宛われる保持部材当接領域については露出させるものの、少なくとも前記表示領域を覆う形態とされている構成としたところに特徴を有する。
【発明の効果】
【００１８】
＜請求項１の発明＞
保持部材と受け部材との間で面状部材を挟み付ける際には、面状部材のうち少なくとも表示領域については保護層により表面が覆われるから、取付作業中に面状部材における表示領域の表面が損傷を受けるのを防止することができる。同時に、面状部材のうち少なくとも保持部材が宛われる保持部材当接領域については表面が露出しており、保護層が挟み込まれることがないから、取付作業を終えた後に保護層を容易に剥離することができる。
【００１９】
＜請求項２の発明＞
保持部材を取り付けるまでの間、面状部材の表面のほぼ全域を保護層により保護することができる。
【００２０】
＜請求項３の発明＞
保護層に分離可能部を設けるようにしたから、保護層のうち保持部材当接領域保護部のみを先に剥離する作業を容易に行うことができる。
【００２１】
＜請求項４の発明＞
保護層のうち保持部材当接領域保護部のみを先に剥離する作業をワンアクションで行うことができ、作業性を良好にすることができる。
【００２２】
＜請求項５の発明＞
例えば１枚の保護層を分離するようにしたものと比較すると、分離する作業を行う必要がないから、作業性が良好なものとなる。
【００２３】
＜請求項６の発明＞
例えば保護層が保持部材当接領域をも覆う形態のものではその部分のみを先に剥離する必要があるのと比較すると、そのような作業が不要となるので、作業性が良好となる。
【００２４】
＜請求項７の発明＞
保護層のうち保持部材当接領域保護部のみを先に剥離してから、保持部材と受け部材との間に面状部材を挟み付ける作業を行うことができる。このとき、少なくとも表示領域については表示領域保護部により表面が覆われるから、取付作業中に表示領域の表面が損傷を受けるのを防止することができる。その後、表示領域保護部を剥離する際にも、保持部材と受け部材との間に挟み込まれていないから、剥離作業を容易に行うことができる。
【００２５】
＜請求項８の発明＞
保護層のうち保持部材当接領域保護部のみを先に剥離する作業をワンアクションで行うことができ、作業性を良好にすることができる。
【００２６】
＜請求項９の発明＞
保護層のうち第２保護層のみを先に剥離してから、保持部材と受け部材との間に面状部材を挟み付ける作業を行うことができる。このとき、少なくとも表示領域については第１保護層により表面が覆われるから、取付作業中に表示領域の表面が損傷を受けるのを防止することができる。その後、第１保護層を剥離する際にも、保持部材と受け部材との間に挟み込まれていないから、剥離作業を容易に行うことができる。しかも、例えば１枚の保護層を分離するようにしたものと比較すると、そのような作業を行う必要がないから、作業性が良好なものとなる。
【００２７】
＜請求項１０の発明＞
保持部材当接領域が露出した状態で保持部材と受け部材との間に面状部材を挟み付ける作業を行うことができる。このとき、少なくとも表示領域については保護層により表面が覆われるから、取付作業中に表示領域の表面が損傷を受けるのを防止することができる。その後、保護層を剥離する際にも、保持部材と受け部材との間に挟み込まれていないから、剥離作業を容易に行うことができる。しかも、例えば保護層が保持部材当接領域をも覆う形態のものではその部分のみを先に剥離する必要があるのと比較すると、そのような作業が不要となるので、作業性が良好となる。
【発明を実施するための最良の形態】
【００２８】
＜実施形態１＞
本発明の実施形態１を図１ないし図１０によって説明する。この実施形態１では、表示装置の一種である液晶表示装置１０の製造方法を示す。なお、以下では上下方向については図２などを基準とする。
【００２９】
液晶表示装置１０は、大まかには、図１に示すように、面状の液晶パネル１１と、その裏側に配される外部光源であるバックライト装置１２と、液晶パネル１１を保持するための略枠状のベゼル１３とを備える。液晶パネル１１は、バックライト装置１２をなすフレーム１４によって受けられるとともに、表側からフレーム１４に対して固定されるベゼル１３によってフレーム１４との間に挟まれた状態で保持されるようになっている。
【００３０】
バックライト装置１２について詳細に説明する。バックライト装置１２は、大まかには、図２に示すように、上面側が開口した矩形の略箱型をなす金属製のベース１５と、ベース１５の開口部を覆うようにして取り付けられる複数の光学シート１６（下側から順に拡散板、拡散シート、レンズシート、輝度上昇シートの４枚）と、これら光学シート１６をベース１５との間で挟んだ状態で保持可能なフレーム１４と、ベース１５内に収容されるランプである複数の冷陰極管１７とを備える。各光学シート１６は、各冷陰極管１７から発せられる概ね線状の光を面状に変換するためのものであり、液晶表示装置１０の表示領域よりも大きな矩形の面状に形成されている。各光学シート１６は、上下に積層されるとともに表示領域よりも外側の外周縁部が裏側のベース１５の外周縁部と、表側の枠状のフレーム１４との間に挟まれた状態で保持されるようになっている。
【００３１】
フレーム１４は、金属板をプレス成形するなどして全体が枠状に形成されており、液晶パネル１１を受けることが可能な受け部１８と、この受け部１８の外周端から下方へ突出するとともにベース１５の周壁部の外側を取り囲む周壁部１９とから構成される。受け部１８は、下面の一部が光学シート１６の外周縁部に宛われてこれをフレーム１４との間で保持可能な保持面とされるのに対し、上面の一部が液晶パネル１１に対する受け面とされる。この受け面には、載せられる液晶パネル１１の外周端面に当接することで、面方向についての位置決めが可能な位置決め部２０が設けられている。位置決め部２０は、受け部１８のうち長辺部分に３箇所ずつ、短辺部分に２箇所ずつ配されている。さらに受け部１８には、後述するベゼル１３を固定するためのビスＢが螺合可能とされるねじ孔２１が設けられている。ねじ孔２１は、受け部１８のうち長辺部分に３箇所ずつ、短辺部分に２箇所ずつ配されている。
【００３２】
液晶パネル１１は、大まかには、一対のガラス基板２２，２３と、両ガラス基板２２，２３の間に充填される液晶２４と、両ガラス基板２２，２３の外面（液晶２４側とは反対側の面）に貼り付けられる一対の偏光板２５，２６とを備える。両ガラス基板２２，２３は、互いに対向するとともにスペーサによって間に所定のギャップを空けた状態で張り合わされ、間に充填された液晶２４は、シール剤２７により取り囲まれている。バックライト装置１２側のガラス基板２３には、互いに直交するソース配線とゲート配線とに接続されたスイッチング素子（例えばＴＦＴ）が、反対側のガラス基板２２には、Ｒ，Ｇ，Ｂの画素電極がそれぞれマトリックス状に設けられている。ガラス基板２３の端部には、ソース配線やゲート配線に対して異方性導電膜（ＡＣＦ）を介してＳＯＦ２８（Ｓｙｓｔｅｍ  Ｏｎ  Ｆｉｌｍ）の一端側が接続されるとともに、このＳＯＦ２８の他端側にはプリント基板２９が接続されている。このプリント基板２９は、ＳＯＦ２８を屈曲させつつ縦の姿勢でフレーム１４の周壁部１９に対してビスにより固定されるようになっている。
【００３３】
上記した構成の液晶パネル１１に画像を表示させるには、バックライト装置１２の各冷陰極管１７を点灯させるとともに、各配線に適宜に信号を供給することで各スイッチング素子を駆動させ、それにより液晶２４の配列状態を制御することで所望の画像を表示できるようになっている。従って、液晶表示装置１０の表示領域（偏光板２５の表示領域３３ａ）は、スイッチング素子や画素電極の配設領域と概ね等しくなっている（図３において二点差線により囲まれた領域）。そして、液晶パネル１１の外周縁部、つまり表示領域よりも外側の枠状の領域が、液晶パネル１１をベゼル１３及びフレーム１４に固定するのに必要な部分となっている。
【００３４】
ベゼル１３は、金属板をプレス成形するなどして全体が枠状に形成されており、液晶パネル１１の表面側に宛われる保持部３０と、保持部３０の外周端から下方へ突出するとともにフレーム１４の周壁部１９の外側に配される周壁部３１とから構成される。保持部３０における下面側が液晶パネル１１に対する押さえ面となっている。保持部３０は、液晶パネル１１の表示領域を取り囲むような矩形の枠状に形成されており、詳しくはその内周端面３０ａの位置が表示領域よりも少し外側に配されるような大きさに形成されている（図８）。この保持部３０には、フレーム１４に対してベゼル１３を固定するためのビスＢを挿通可能な挿通孔３２が設けられている。この挿通孔３２は、保持部３０における長辺部分に３箇所ずつ、短辺部分に２箇所ずつ配されている。
【００３５】
ここで、液晶パネル１１を構成する偏光板２５，２６について詳細に説明する。偏光板２５，２６は、透光性を有するとともに、通過する光波の振動を所定の方向に制限可能な偏光子を含む本体部３３，３４を備えており、この本体部３３，３４の裏面側に設けられた粘着層によりガラス基板２２，２３に対して貼付状態で保持されるようになっている。本体部３３，３４は、対応するガラス基板２２，２３とほぼ同じ大きさで矩形の面状に形成され、また厚み寸法がガラス基板２２，２３よりも薄く設定されている。なお偏光板２５，２６をガラス基板２２，２３に貼り付ける前の状態では、粘着層の裏側には図示しない剥離シートが貼られることで、粘着層の露出を防いでいる。
【００３６】
一方、本体部３３，３４の表側（ガラス基板２２，２３側とは反対側）には、表面を保護するための保護フィルム３５，３６が剥離可能な状態で貼り付けられる。保護フィルム３５，３６は、合成樹脂製とされ、本体部３３，３４の表面のほぼ全域を覆う大きさとされており、また厚み寸法が本体部３３，３４よりも薄く設定されている。この保護フィルム３５，３６は、偏光板２５，２６の製造場所から液晶パネル１１の製造場所へ搬送する過程や、本体部３３，３４をガラス基板２２，２３に貼り付ける過程や、液晶パネル１１の製造場所から液晶パネル１１をバックライト装置１２に組み付ける場所へ搬送する過程などで、本体部３３，３４の表面を保護することを主な目的としており、液晶表示装置１０が完成した状態では剥離されるようになっている。
【００３７】
さて、表側のガラス基板２２に貼り付けられる偏光板２５の本体部３３には、液晶表示装置１０の表示領域に対応した表示領域３３ａと、ベゼル１３が宛われる部分である枠型のベゼル当接領域３３ｂ（外周縁部）とが所定の間隔を空けて配されている。一方、保護フィルム３５は、表示領域３３ａを覆う表示領域保護部３５ａと、ベゼル当接領域３３ｂを覆うベゼル当接領域保護部３５ｂとから構成されている。詳しくは、表示領域保護部３５ａは、表示領域３３ａよりも少し外側の領域まで覆い、ベゼル当接領域保護部３５ｂは、ベゼル当接領域３３ｂよりも少し内側の領域まで覆っている。そして、保護フィルム３５のうち両部３５ａ，３５ｂの境界位置には、両部３５ａ，３５ｂを互いに独立して分離可能な分離可能部３７が設けられている。
【００３８】
詳しくは、分離可能部３７は、表示領域３３ａを取り囲む枠型、つまり無端状に形成されている。分離可能部３７は、保護フィルム３５を貫通する短尺なスリットが表示領域３３ａを取り囲む枠状の線に沿って所定間隔毎に列状に配した構成とされる。つまり、分離可能部３７は、破線状のミシン目により構成されている。この分離可能部３７（表示領域保護部３５ａの外周端位置及びベゼル当接領域保護部３５ｂの内周端位置）は、表示領域３３ａよりも外側で、且つベゼル当接領域３３ｂ（ベゼル１３の内周端面３０ａ）よりも内側に配されている。
【００３９】
本実施形態は以上のような構造であり、続いてその製造方法を説明する。まず液晶パネル１１とバックライト装置１２とをそれぞれの製造場所において製造する。
【００４０】
液晶パネル１１の製造方法について簡単に説明すると、両ガラス基板２２，２３にそれぞれスイッチング素子や画素電極などを形成したら、両ガラス基板２２，２３を所定のギャップをに保ちつつ張り合わせるとともに、両ガラス基板２２，２３間に液晶２４を充填した後、偏光板２５，２６を対応するガラス基板２２，２３の表面にそれぞれ貼り付ける。偏光板２５，２６の貼り付けにあたっては、まず偏光板２５，２６の裏側の剥離シートを剥離して粘着層を露出させた後、本体部３３，３４を位置合わせしつつ対応するガラス基板２２，２３の表面に宛うようにする。
【００４１】
バックライト装置１２の製造方法について簡単に説明すると、ベース１５内に各冷陰極管１７を並列した状態で保持させたら、ベース１５の開口部に各光学シート１６を順次積層し、その後フレーム１４をベース１５に対してビス止め固定することにより、ベース１５とフレーム１４との間で各光学シート１６が挟まれた状態で保持される。
【００４２】
続いて、上記のようにして製造した液晶パネル１１とバックライト装置１２とを一体的に組み付ける作業を行う。図１及び図２に示す状態から液晶パネル１１の裏側の偏光板２６における保護フィルム３６を剥離する。そして、液晶パネル１１をバックライト装置１２のフレーム１４における受け部１８上に載せる。このとき、フレーム１４の各位置決め部２０に対して液晶パネル１１の外周端面を当接することにより、フレーム１４に対して液晶パネル１１が面方向について位置決めされる。
【００４３】
次に、表側の偏光板２５の保護フィルム３５のうち、ベゼル当接領域保護部３５ｂのみを本体部３３から剥離する作業を行う。ベゼル当接領域保護部３５ｂの端部を摘んで引き剥がすと、分離可能部３７における各スリット間の繋ぎ部分が順次に切断されることで、図４及び図５に示すように、表示領域保護部３５ａが本体部３３の表面を覆った状態で残されてベゼル当接領域保護部３５ｂのみが独立して剥離される。このとき、分離可能部３７が枠状に形成されているから、ベゼル当接領域保護部３５ｂをワンアクション操作で簡単に剥離することができる。またベゼル当接領域保護部３５ｂを剥離する作業に前後して、各プリント基板２９をフレーム１４に対してビスにより固定する作業を行う。
【００４４】
その後、ベゼル１３を固定する作業を行う。ベゼル１３をフレーム１４及び液晶パネル１１に対して面方向について位置合わせしつつ表側から載せると、ベゼル１３の保持部３０が表側の偏光板２５の本体部３３のうち、保護フィルム３５のベゼル当接領域保護部３５ｂが除去されて露出した表面に対して当接される。従って、本体部３３に残された保護フィルム３５（表示領域保護部３５ａ）がベゼル１３により挟み込まれることがない。
【００４５】
続いて、図６ないし図８に示すように、各ビスＢをベゼル１３の各挿通孔３２に通してフレーム１４の各ねじ孔２１に締め付ける作業を行う。このとき、ビスＢなどの部品を誤って液晶パネル１１上に落下させるおそれがあり、それに伴って偏光板２５の本体部３３の表面に傷が付くことが懸念される。ところが、偏光板２５の本体部３３のうち、表示領域３３ａが保護フィルム３５の表示領域保護部３５ａによって全域が覆われて保護されているので、落下したビスＢなどの部品は、この表示領域保護部３５ａに接触し、本体部３３のうち表示領域３３ａの表面に対して直接接触することが防がれる。これにより、偏光板２５の本体部３３の表面に傷が付くのが防止され、表示品質の低下を防止できる。
【００４６】
全てのビスＢを締結し、ベゼル１３により液晶パネル１１をバックライト装置１２に対して一体的に保持したら、図９及び図１０に示すように、残された保護フィルム３５の表示領域保護部３５ａを剥離する作業を行う。このとき、表示領域保護部３５ａは、ベゼル１３により挟み込まれていないから、剥離作業を容易に行うことができる。
【００４７】
以上説明したように本実施形態によれば、ベゼル１３とフレーム１４との間で偏光板２５を挟み付ける際には、偏光板２５の本体部３３のうち少なくとも表示領域３３ａについては保護フィルム３５により表面が覆われるから、取付作業中に本体部３３の表示領域３３ａの表面が損傷を受けるのを防止することができる。同時に、偏光板２５の本体部３３のうち少なくともベゼル１３が宛われるベゼル当接領域３３ｂについては表面が露出しており、保護フィルム３５が挟み込まれることがないから、取付作業を終えた後に保護フィルム３５を容易に剥離することができる。
【００４８】
また、保護フィルム３５が偏光板２５の本体部３３の表面のほぼ全域を覆うようにし、ベゼル１３を取り付けるまでの間に、ベゼル当接領域保護部３５ｂのみを先に剥離するようにしたから、ベゼル１３を取り付けるまで本体部３３の表面のほぼ全域を保護することができる。
【００４９】
また、保護フィルム３５に分離可能部３７を設け、表示領域保護部３５ａとベゼル当接領域保護部３５ｂとを互いに独立して分離できるようにしたから、ベゼル１３を取り付けるまでの間に、ベゼル当接領域保護部３５ｂのみを先に剥離する作業を容易に行うことができる。しかも、分離可能部３７が枠型、つまり無端状に形成されているから、ベゼル当接領域保護部３５ｂのみを剥離する作業をワンアクションで行うことができ、作業性を良好なものとすることができる。
【００５０】
＜実施形態２＞
本発明の実施形態２を図１１または図１２によって説明する。この実施形態２では、表側の偏光板の保護フィルムについて変更したものを示す。なおこの実施形態２では、上記した実施形態１と同様の構造、作用及び効果について重複する説明は省略する。
【００５１】
表側の偏光板４０における保護フィルム４２は、図１１及び図１２に示すように、本体部４１の表示領域４１ａよりも少し大きいもののベゼル当接領域４１ｂよりは少し小さい第１保護フィルム４２ａと、本体部４１とほぼ同じ大きさの第２保護フィルム４２ｂとを積層した構成とされる。このうち、本体部４１の表面に対して全域が直接貼り付けられる第１保護フィルム４２ａは、本体部４１のうち表示領域４１ａについては覆うものの、ベゼル当接領域４１ｂについては覆っていない。一方、第２保護フィルム４２ｂは、第１保護フィルム４２ａの表面の全域と、本体部４１の表面のうち第１保護フィルム４２ａにより覆われない領域（ベゼル当接領域４１ｂとその内側の僅かな領域）とに直接貼り付けられている。従って、本体部４１のベゼル当接領域４１ｂは、第２保護フィルム４２ｂの外周縁部によってのみ覆われている。
【００５２】
上記した構成の偏光板４０を貼り付けた液晶パネル１１をバックライト装置１２のフレーム１４上に載せた後、ベゼル１３を固定するにあたっては、まず外側の第２保護フィルム４２ｂのみを先に剥離する。すると、表側の偏光板４０の本体部４１におけるベゼル当接領域４１ｂが露出するものの、表示領域４１ａについては第１保護フィルム４２ａにより覆われたままとされる。この状態でベゼル１３を固定する作業を行うのであるが、その際に第１保護フィルム４２ａがベゼル１３に挟み込まれることがなく、またビスＢなどの部品を誤って落下させたとしても、本体部４１の表面が第１保護フィルム４２ａにより覆われているので、本体部４１の表面に傷が付くことが防止されるようになっている。
【００５３】
以上のように本実施形態によれば、保護フィルム４２を２層構造にしたから、実施形態１のように１枚の保護フィルムを分離するものと比較して、分離作業が不要となる。また分離可能部を形成するなど保護フィルムに対して格別な加工を施す必要がないので、低コスト化を図ることができる。
【００５４】
＜実施形態３＞
本発明の実施形態３を図１３によって説明する。この実施形態３では、表側の偏光板の保護フィルムの形状を変更したものを示す。なおこの実施形態３では、上記した実施形態１と同様の構造、作用及び効果について重複する説明は省略する。
【００５５】
表側の偏光板５０に貼り付けられる保護フィルム５２は、図１３に示すように、本体部５１の表示領域５１ａより少し大きく、且つベゼル当接領域５１ｂよりは少し小さくなるよう（実施形態２の第１保護フィルム４２ａとほぼ同じ大きさ）に形成されている。従って、本体部５１の表面のうちベゼル当接領域５１ｂについては、保護フィルム５２により覆われることがなく、露出した状態とされる。
【００５６】
以上のように本実施形態によれば、実施形態１，２のようにベゼル当接領域を覆う部分を先に剥離する必要がないから、作業性が良好なものとなる。また実施形態１のように保護フィルムに加工を施す必要がなく、さらには実施形態２のように保護フィルムを二層構造とする必要もないから、さらなる低コスト化を図ることができる。なお、本体部５１の表面のうち保護フィルム５２に覆われず露出する領域については、表示領域５１ａよりも外の領域であるため、表示品質に与える影響は殆どない。
【００５７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００５８】
（１）上記した実施形態１では、分離可能部を破線状のミシン目により構成した場合を示したが、比較的長いスリットの後に比較的短いスリットが配される一点鎖線状や、比較的長いスリットの後に比較的短いスリットが２つ続けて配される二点鎖線状のミシン目により構成したものも本発明に含まれる。また繋ぎ部分を有するミシン目以外にも、全長にわたって繋ぎ部分を有さないスリットを分離可能部としたものも本発明に含まれる。
【００５９】
（２）上記した実施形態１では、分離可能部を枠型にしたものを示したが、その形状については任意に変更可能である。例えば、保護フィルムにおける表示領域保護部とベゼル当接領域保護部との境界線に沿った直線状とし、ベゼル当接領域保護部を複数に分割して剥離できるような形態としてもよい。
【００６０】
（３）上記した実施形態１では、偏光板の保護フィルムに予め（ガラス基板に貼り付ける前の段階で）分離可能部を形成したものを示したが、例えば偏光板をガラス基板に貼り付けた後に、表側の保護フィルムのみを切断できるカッターなどにより分離可能部を形成するようにしてもよい。
【００６１】
（４）上記した実施形態１，３以外にも、保護フィルムが本体部の表示領域の全域と、ベゼル当接領域の一部とを覆うような形態としてもよい。具体的には、保護フィルムが短辺については本体部と同じ大きさとされるものの、長辺については本体部よりも小さく設定されるとともに、ベゼル当接領域の長辺側部分をほぼ全域覆うのに対し、両短辺側部分を露出させる形態としてもよい。長辺側と短辺側を上記とは逆の形態としてもよい。
【００６２】
（５）上記した実施形態１の分離可能部の位置、実施形態２の第１保護フィルムの外周端位置、及び実施形態３の保護フィルムの外周端位置については、適宜に変更することができ、表示領域の外周端位置と同じに設定することも可能である。
【００６３】
（６）上記した各実施形態では、ベゼルの保持部とフレームの受け部とをビスにより固定するものを示したが、例えばベゼル及びフレームの両周壁部をビスにより固定するものも本発明に含まれる。
【００６４】
（７）上記した実施形態では、液晶パネルの偏光板について例示したが、例えばバックライト装置におけるベースとフレームとの間に挟まれて保持される光学シートについても本発明は適用可能である。
【００６５】
（８）本発明は、液晶表示装置以外の表示装置、例えばプラズマディスプレイなどにも適用可能である。
【図面の簡単な説明】
【００６６】
【図１】本発明の実施形態１に係る液晶表示装置の分解斜視図
【図２】液晶表示装置の分解断面図
【図３】液晶パネルの平面図
【図４】液晶パネルをフレームに載せてから、保護フィルムのベゼル当接領域保護部を剥離した状態を示す斜視図
【図５】液晶パネルをフレームに載せてから、保護フィルムのベゼル当接領域保護部を剥離した状態を示す断面図
【図６】ベゼルを固定した状態を示す斜視図
【図７】ベゼルを固定した状態を示す断面図
【図８】ベゼルを固定した状態を示す平面図
【図９】保護フィルムのうち表示領域保護部を剥離した状態を示す斜視図
【図１０】保護フィルムのうち表示領域保護部を剥離した状態を示す断面図
【図１１】本発明の実施形態２に係る液晶パネルの断面図
【図１２】液晶パネルの平面図
【図１３】本発明の実施形態３に係る液晶パネルの平面図
【符号の説明】
【００６７】
１０…液晶表示装置（表示装置）
１３…ベゼル（保持部材）
１４…フレーム（受け部材）
２５，４０，５０…偏光板（面状部材）
３３ａ，４１ａ，５１ａ…表示領域
３３ｂ，４１ｂ，５１ｂ…ベゼル当接領域（保持部材当接領域）
３５，４２，５２…保護フィルム（保護層）
３５ａ…表示領域保護部
３５ｂ…ベゼル当接領域保護部（保持部材当接領域保護部）
３７…分離可能部
４２ａ…第１保護フィルム（第１保護層）
４２ｂ…第２保護フィルム（第２保護層）
【図１】
2006317865.tif 000003
【図２】
2006317865.tif 000004
【図３】
2006317865.tif 000005
【図４】
2006317865.tif 000006
【図５】
2006317865.tif 000007
【図６】
2006317865.tif 000008
【図７】
2006317865.tif 000009
【図８】
2006317865.tif 000010
【図９】
2006317865.tif 000011
【図１０】
2006317865.tif 000012
【図１１】
2006317865.tif 000013
【図１２】
2006317865.tif 000014
【図１３】
2006317865.tif 000015